(57)【要約】【課題】  遊技盤および証紙貼着部材を係止するための構成を簡単な構造で実現することができ、また、遊技盤の係止状態および証紙貼着部材の係止状態の確認を容易に行うことができる遊技機を提供する。【解決手段】  遊技盤収納フレーム２１に押圧係止部材４１を備え、押圧係止部材４１は、回動すると自由端部が遊技盤収納フレーム２１内の遊技盤の前面を押圧して遊技盤の移動を規制する押圧状態に変換可能とし、下側区画部材５４は、前方が開口され、押圧状態の押圧係止部材４１が当接する当接凹部６３を備え、証紙貼着部材４８は、下側区画部材５４に回動可能に軸着され、回動すると当接凹部６３の前方開口を覆う閉状態に変換可能であり、証紙貼着部材４８に係止片７２を備え、押圧係止部材４１を押圧状態に変換した状態で証紙貼着部材４８を閉状態に変換すると、係止片７２が押圧係止部材４１に係止して証紙貼着部材４８の回動が規制される。【選択図】  図６
2006346230.tif 000002
【特許請求の範囲】
【請求項１】
遊技盤を着脱可能な状態で収納する遊技盤収納フレームと、該遊技盤収納フレームに設けられ、遊技盤を係止する遊技盤係止手段と、前記遊技盤の前面に配設され、遊技領域を区画する遊技領域区画部材と、該遊技領域区画部材の前面に配置され、機種情報を表示した証紙が貼着された証紙貼着部材と、を備えた遊技機において、
前記遊技盤係止手段は、前記遊技盤収納フレームに回動可能な状態で軸着された押圧係止部材を備え、
該押圧係止部材は、回動すると自由端部が遊技盤収納フレーム内の遊技盤の前面を押圧して遊技盤の移動を規制する押圧状態に変換可能とし、
前記遊技領域区画部材は、前方が開口され、押圧状態の押圧係止部材が当接する当接凹部を備え、
前記証紙貼着部材は、遊技領域区画部材に回動可能に軸着され、回動すると当接凹部の前方開口を覆う閉状態に変換可能であり、
前記証紙貼着部材のうち、閉状態において当接凹部と対向する部分に、押圧係止部材に係止可能な係止片を備え、
前記押圧係止部材を押圧状態に変換した状態で証紙貼着部材を閉状態に変換すると、係止片が押圧係止部材に係止して証紙貼着部材の回動が規制されることを特徴とする遊技機。
【請求項２】
前記押圧係止部材は、前記押圧状態において遊技盤の側部を押圧して遊技盤の移動を規制する押圧係止補助部材を備えたことを特徴とする請求項１に記載の遊技機。
【請求項３】
前記当接凹部は、前記押圧状態の押圧係止部材に係合して押圧係合部材の回動を規制する回動規制部材を備え、
前記係止片は、押圧係止部材のうち該押圧係止部材を挟んで回動規制部材とは反対側に係止することを特徴とする請求項１または請求項２に記載の遊技機。
【請求項４】
前記遊技領域区画部材は、止着部材により遊技盤に止着され、
前記止着部材の遊技領域区画部材側の端部を当接凹部内に配置したことを特徴とする請求項１から請求項３のいずれかに記載の遊技機。
【発明の詳細な説明】
【技術分野】
【０００１】
本発明は、着脱可能な遊技盤を備え、該遊技盤の前面に機種情報が表示された証紙を配置したパチンコ遊技機等の遊技機に関する。
【背景技術】
【０００２】
従来の遊技機、例えば、パチンコ遊技機においては、公安委員会での型式検定で適合評価を受けた旨を示すため、遊技盤に製造番号（機械番号）が記載された証紙を配置する必要がある。この証紙は、遊技盤の盤面（前面）の右下に定められる貼着位置、具体的には、遊技盤の前面右下側に設けられた遊技領域区画部材の前面に貼着される。
【０００３】
この証紙の貼着に関し、遊技領域区画部材に証紙貼着用の部材（証紙台）を着脱可能な状態で備え、証紙貼着部材の前面に証紙を貼着し、製造時の作業ミス等で証紙が張り間違えられた場合に証紙交換を容易に行えるように構成する旨が提案されている。また、証紙貼着部材は、内枠の窓部内（遊技盤収納フレーム内）に遊技盤を固定（係止）するための固定装置および固定板の前方に回動自在な状態で軸着されている。そして、該証紙貼着部材を手前に開くと、固定装置および固定板が露出して遊技盤の着脱操作（固定操作あるいは固定解除操作）が実施可能となり、証紙貼着部材を遊技領域区画部材側に閉じると、固定装置および固定板が前方から証紙貼着部材に覆われて遊技盤の着脱操作を実施不可能となるように構成されている（特許文献１参照）。
【特許文献１】特開２００３−６２３０９号公報
【発明の開示】
【発明が解決しようとする課題】
【０００４】
ところで、パチンコ遊技機は、遊技盤の前方を開閉可能な状態で設けられた前面カバー部材（所謂ガラス枠）により覆い、遊技盤の着脱やメンテナンス等の際には作業員が前面カバー部材を開いて作業を行うように構成されている。そして、上記特許文献に記載のものにおいては、証紙貼着部材を開状態にしたまま前面カバー部材を閉じようとすると、証紙貼着部材と前面カバー部材とが衝突して、前面カバー部材あるいは証紙貼着部材を破損してしまう虞がある。このため、証紙貼着部材を閉状態で係止するための構造を備えることが考えられるが、証紙貼着部材の係止構造を別途設けると、証紙貼着部材の周辺や遊技盤の固定装置および固定板の周辺の構造が複雑になってしまう。また、遊技盤の着脱作業等の際に作業員が行わなければならない操作が増え、さらに、遊技盤の係止状態の確認だけではなく証紙貼着部材の係止状態の確認も行う必要があり、好ましくない。
【０００５】
そこで、本発明は、上記の事情に鑑みてなされたものであり、その目的は、遊技盤および証紙貼着部材を係止するための構成を簡単な構造で実現することができ、また、遊技盤の係止状態および証紙貼着部材の係止状態の確認を容易に行うことができる遊技機を提供しようとするものである。
【課題を解決するための手段】
【０００６】
本発明は、上記目的を達成するために提案されたものであり、請求項１に記載のものは、遊技盤を着脱可能な状態で収納する遊技盤収納フレームと、該遊技盤収納フレームに設けられ、遊技盤を係止する遊技盤係止手段と、前記遊技盤の前面に配設され、遊技領域を区画する遊技領域区画部材と、該遊技領域区画部材の前面に配置され、機種情報を表示した証紙が貼着された証紙貼着部材と、を備えた遊技機において、
前記遊技盤係止手段は、前記遊技盤収納フレームに回動可能な状態で軸着された押圧係止部材を備え、
該押圧係止部材は、回動すると自由端部が遊技盤収納フレーム内の遊技盤の前面を押圧して遊技盤の移動を規制する押圧状態に変換可能とし、
前記遊技領域区画部材は、前方が開口され、押圧状態の押圧係止部材が当接する当接凹部を備え、
前記証紙貼着部材は、遊技領域区画部材に回動可能に軸着され、回動すると当接凹部の前方開口を覆う閉状態に変換可能であり、
前記証紙貼着部材のうち、閉状態において当接凹部と対向する部分に、押圧係止部材に係止可能な係止片を備え、
前記押圧係止部材を押圧状態に変換した状態で証紙貼着部材を閉状態に変換すると、係止片が押圧係止部材に係止して証紙貼着部材の回動が規制されることを特徴とする遊技機である。
【０００７】
請求項２に記載のものは、前記押圧係止部材は、前記押圧状態において遊技盤の側部を押圧して遊技盤の移動を規制する押圧係止補助部材を備えたことを特徴とする請求項１に記載の遊技機である。
【０００８】
請求項３に記載のものは、前記当接凹部は、前記押圧状態の押圧係止部材に係合して押圧係合部材の回動を規制する回動規制部材を備え、
前記係止片は、押圧係止部材のうち該押圧係止部材を挟んで回動規制部材とは反対側に係止することを特徴とする請求項１または請求項２に記載の遊技機である。
【０００９】
請求項４に記載のものは、前記遊技領域区画部材は、止着部材により遊技盤に止着され、
前記止着部材の遊技領域区画部材側の端部を当接凹部内に配置したことを特徴とする請求項１から請求項３のいずれかに記載の遊技機である。
【発明の効果】
【００１０】
本発明によれば、以下のような優れた効果を奏する。
請求項１に記載の発明によれば、遊技盤係止手段は、遊技盤収納フレームに回動可能な状態で軸着された押圧係止部材を備え、該押圧係止部材は、回動すると自由端部が遊技盤収納フレーム内の遊技盤の前面を押圧して遊技盤の移動を規制する押圧状態に変換可能とし、遊技領域区画部材は、前方が開口され、押圧状態の押圧係止部材が当接する当接凹部を備え、証紙貼着部材は、遊技領域区画部材に回動可能に軸着され、回動すると当接凹部の前方開口を覆う閉状態に変換可能であり、証紙貼着部材のうち、閉状態において当接凹部と対向する部分に、押圧係止部材に係止可能な係止片を備え、押圧係止部材を押圧状態に変換した状態で証紙貼着部材を閉状態に変換すると、係止片が押圧係止部材に係止して証紙貼着部材の回動が規制されるので、押圧係止部材に遊技盤の係止機能と証紙貼着部材の係止機能とを備えることができ、遊技盤および証紙貼着部材を係止するための構成を簡単な構造で実現することができる。また、押圧係止部材で遊技盤を係止した状態でなければ証紙貼着部材を閉状態に維持できないように設定することができる。したがって、証紙貼着部材を閉状態に維持できるか否かを確認するだけで、遊技盤が遊技盤収納フレーム内に固定されているか否かを容易に確認することができる。さらに、遊技盤を係止する部材と、証紙を貼り付ける部材とを前後に重なる状態で配置することができ、遊技領域区画部材の縦横の大きさを抑えようとすることができる。これにより、遊技領域の拡大化を図り易くすることができる。
【００１１】
請求項２に記載の発明によれば、押圧係止部材は、押圧状態において遊技盤の側部を押圧して遊技盤の移動を規制する押圧係止補助部材を備えたので、押圧係止部材を押圧状態に変換すると、押圧係止補助部材が遊技盤の側部を押圧することができ、遊技盤収納フレーム内で遊技盤が左右方向へ移動することを確実に防ぐことができる。また、押圧係止部材を遊技盤に押圧する操作と、押圧係止補助部材を遊技盤に押圧する操作とを別個に行う必要がない。したがって、遊技盤の取付作業の効率向上を図ることができる。
【００１２】
請求項３に記載の発明によれば、当接凹部は、押圧状態の押圧係止部材に係合して押圧係合部材の回動を規制する回動規制部材を備え、係止片は、押圧係止部材のうち該押圧係止部材を挟んで回動規制部材とは反対側に係止するので、押圧状態の押圧係止部材を証紙貼着部材の係止片と回動規制部材とで挟み込むことができる。したがって、押圧係止部材の押圧状態が不用意に解除されることを防ぐことができ、遊技盤の取付具合が緩んでしまう不都合を抑制することができる。
【００１３】
請求項４に記載の発明によれば、遊技領域区画部材は、止着部材により遊技盤に止着され、止着部材の遊技領域区画部材側の端部を当接凹部内に配置したので、止着部材を証紙貼着部材により覆うことができ、証紙貼着部材の周辺の外観を簡素にすることができる。
【発明を実施するための最良の形態】
【００１４】
以下、代表的な遊技機であるパチンコ遊技機を例に挙げて本発明の実施の最良の形態を図面に基づき説明する。図１は前面カバー部材を開放した状態におけるパチンコ遊技機の正面図である。
パチンコ遊技機１は、外枠（機枠あるいは本体枠）２に、大きな矩形状開口部を有する略額縁状の前面枠（内枠）３を開閉可能に軸着し、この前面枠３のベースとなる前面枠本体４に矩形状の遊技盤５を収納可能とし、遊技盤５の表面には、表示装置６、大入賞口７、一般入賞口８、アウト口９、サイドランプ１０などを配設した遊技領域１１と、この遊技領域１１内へ遊技球を案内するための案内誘導路１２とを形成している。また、前面枠３の前面側には、一側（図中左側）が軸着された前面カバー部材（ガラス枠）１３を開閉（回動）可能に設け、該前面カバー部材１３に透視可能なガラス板を収納し、前面カバー部材１３を閉じると、遊技盤５が前面カバー部材１３により覆われるとともに、ガラス板を通して遊技領域１１を前方から透視できるように構成している。さらに、前面カバー部材１３の下方に上皿ユニット１４と下皿ユニット１５とを左右に少し位置をずらした状態で上下に設け、上皿ユニット１４と下皿ユニット１５との間には、遊技状態に応じて音を発生するスピーカー１６を配置し、下皿ユニット１５の左側に灰皿１７を備え、下皿ユニット１５の右側に、遊技球を遊技領域１１へ向けて発射操作するための発射操作ユニット（発射操作ハンドル）１８を備えている。なお、遊技領域１１を区画する遊技盤５の構成については、後で詳細に説明する。
【００１５】
前面枠本体４は、矩形状の開口部を上寄りに開設した合成樹脂製枠体であり、開口部の周縁に額縁状の遊技盤収納フレーム２１を備え、遊技盤収納フレーム２１内に遊技盤５を着脱可能な状態で収納している。また、遊技盤収納フレーム２１の下方にフレームボード部２２を備え、該フレームボード部２２の上端に遊技盤載置部２３を設け、該遊技盤載置部２３に遊技盤５の下端を載置することで、遊技盤５の上下方向の位置を規制できるように構成されている。さらに、前面枠本体４の右端部には、前面カバー部材１３の他側（軸着側とは反対側となる右側）にフック２４を掛止して前面カバー部材１３を閉状態でロック可能なロック機構２５を備えている。
なお、本実施形態の前面枠本体４は、遊技盤収納フレーム２１およびフレームボード部２２を含んだ状態で合成樹脂により一体成型されているが、遊技盤収納フレーム２１およびフレームボード部２２を別部材にして取り付けてもよい。
【００１６】
遊技盤収納フレーム２１は、前面枠３の軸着側（図中左側）に左側壁部２８を備えるとともに、軸着側とは反対の開放側（図中右側）に右側壁部２９を備えている。また、左側壁部２８の上端部と右側壁部２９の上端部とを接続する状態で上側壁部３０を備え、各側壁部２８，２９，３０の後縁から内側に向かって背面部３１を形成している（図２（ｂ）参照）。このような構成からなる遊技盤収納フレーム２１は、前方を開口した凹状に形成され、前面枠本体４の前面から一段窪ませた状態で設けられている。
【００１７】
そして、遊技盤収納フレーム２１の左側壁部２８には、遊技盤５の一側（図中左側）を前方から係合可能な係合部材（遊技盤係合手段）３３を上下２箇所に設け、該係合部材３３の近傍には、遊技盤５の左側部に当接可能なリブ状の位置決め部材３４を配置している。また、遊技盤収納フレーム２１の右側壁部２９には、遊技盤５の他側（図中右側）を係止可能な遊技盤係止手段３５を備え、該遊技盤係止手段３５の上方には、遊技盤５の右側部に当接可能なリブ状の遊技盤側部当接部材３６を配置している（図２（ａ）参照）。さらに、遊技盤収納フレーム２１の上側壁部３０の右寄りには、遊技盤５の上部を押圧可能なクランプ３７を回動可能な状態で軸着している。なお、クランプ３７は、回動操作により、遊技盤５の前面に移動して背面部３１との間で遊技盤５を挟み込む固定状態と、遊技盤５の前面から退避して遊技盤５を解放する解放状態とに変換するように構成されている。
【００１８】
遊技盤係止手段３５は、遊技盤収納フレーム２１の右側壁部２９に設けられ、前面枠３の前後方向へ延設された軸部４０と、該軸部４０に軸着されて上下方向へ回動可能な押圧係止部材４１とを備えて構成されている。押圧係止部材４１は、図３に示すように、軸部４０に遊嵌する金属製の軸受部４２を備え、該軸部４０の外周部のうち遊技盤５の前面寄りの位置から金属製の腕部４３を側方へ延設し、該腕部４３の先端部（自由端部）の周りに合成樹脂を被覆して腕部４３の先端部よりもひと回り大きな押圧部４４を形成している。また、軸部４０の外周部のうち腕部４３よりも後方の位置（すなわち遊技盤５の裏面寄りの位置）には、腕部４３よりも短い舌状の押圧係止補助部材４５を備えるとともに、該押圧係止補助部材４５を腕部４３の延出方向と同じ方向へ向けて延出している。
【００１９】
このような構成を備えた押圧係止部材４１は、軸部４０を中心に回動して腕部４３を横向きに配置すると、押圧部４４（すなわち押圧係止部材４１の自由端部）が遊技盤収納フレーム２１内の遊技盤５の前方に移動するとともに遊技盤５の前面を押圧して、遊技盤５の前後方向の移動を規制する押圧状態に変換する（図６（ｂ）参照）。この押圧状態においては、押圧係止補助部材４５の先端部が遊技盤５の側面（右側面）を押圧して、遊技盤５の左右方向の移動を規制する。
一方、軸部４０を中心に回動して腕部４３を縦向きに配置すると、押圧部４４が遊技盤収納フレーム２１内の遊技盤５の前方から退いて右側壁部２９側に移動し、遊技盤５の前後方向の移動を許容する押圧解除状態に変換する（図６（ａ）参照）。この押圧解除状態においては、押圧係止補助部材４５の先端部が遊技盤５の側面（右側面）から後退し、遊技盤５の左右方向の移動を許容する。
【００２０】
さらに、押圧部４４の一側面、詳しくは、押圧部４４のうち押圧状態において上方を向く側面には、腕部４３の延設方向に沿って係止溝４６が形成され（図３参照）、後述する証紙貼着部材４８の一部がこの係止溝４６に係止できるように構成されている。
【００２１】
次に、遊技盤５に遊技領域１１を区画する構成について説明する。
遊技盤５は、図１に示すように、表面に遊技領域１１を略円形に区画するための遊技領域区画部材（サイドケース）５０をビスなどの止着部材５１により遊技盤５の各辺に沿う状態で止着して配設されている。遊技領域区画部材５０は、遊技盤５の下方の発射装置（図示せず）から発射された遊技球を遊技領域１１へ案内し、遊技領域１１の一側（図中左側）を区画する略Ｃ字状の発射球案内ユニット５２と、該発射球案内ユニット５２の一端（図中右上端）に隣接した状態で止着し、遊技領域１１の右上側を区画する上側区画部材（第１区画部材）５３と、発射球案内ユニット５２の他端（図中右下端）に隣接した状態で止着するとともに上側区画部材５３に隣接した状態で止着し、遊技領域１１の右下側を区画する下側区画部材（第２区画部材）５４とに３分割して構成されている。
【００２２】
発射球案内ユニット５２は、遊技領域１１の遊技球進入側（図中左側）を区画する部材であり、内外一対の円弧状のガイドレール５６を備え、該ガイドレール５６により遊技領域１１の一側（図中左側）を円弧状に区画している。また、一対のガイドレール５６は、離間した状態で配置されて案内誘導路１２を遊技盤５の下側から上側へ向けて形成し、発射装置から発射された遊技球を遊技領域１１の上側へ案内するように構成されている。
【００２３】
上側区画部材５３は、遊技領域１１側の縁部（下縁部）を円弧状に形成するとともに、発射操作ユニット１８の右上端から遊技盤５の右側方へ向けて下り傾斜させて、遊技領域１１の上側から左側中央部分に亘って円弧状に区画している。また、遊技領域１１側の縁部の途中には、ゴム製の緩衝部材５７を備え、案内誘導路１２から上側区画部材５３の縁部に沿って飛翔してきた遊技球がこの緩衝部材５７に衝突して下方の遊技領域１１へ流下するように構成されている。さらに、上側区画部材５３の上部には、遊技盤収納フレーム２１の上側壁部３０のクランプ３７が当接する遊技盤取付部５８を備え、上側区画部材５３の右側部（遊技盤５の側部に位置する部分）には、指先を引っ掛けられる程度の窪部を設けて、遊技盤５を遊技盤収納フレーム２１から着脱する際のハンドル部５９を形成している。
【００２４】
下側区画部材５４は、遊技領域１１側の縁部（上縁部）を円弧状に形成するとともに、上側区画部材５３の右下端から遊技盤５の下側中央部分へ向けて下り傾斜させて、遊技領域１１の右側中央部分から下側に亘って円弧状に区画している。また、下側区画部材５４の左下端に発射球案内ユニット５２の下端を隣り合わせるとともに、アウト口周縁部６０を一体的に成形し、このアウト口周縁部６０を遊技盤５の下側に形成された切欠部（図示せず）の前方に位置させることで、遊技盤５上にアウト口９を構成している。
【００２５】
そして、下側区画部材５４の右下隅部には、押圧状態の押圧係止部材４１が当接する当接凹部６３を備え、該当接凹部６３の前方に証紙貼着部材４８を回動可能（開閉可能）な状態で配置している。当接凹部６３は、図４に示すように、下側区画部材５４の前面から後方へ凹ませて形成されるとともに、前方および側方（図中右側方）を開口して構成され、側方の開口を回動中の押圧係止部材４１が通過可能な大きさに設定している。また、当接凹部６３の奥側の底部（当接凹部６３のうち下側区画部材５４の裏面側に配置された部分）６３ａを押圧部４４の後面よりも僅かに後方へ配置し（図２（ｂ）参照）、この底部６３ａには、押圧係止部材４１の回動軌跡に沿って円弧状に隆起した当接突部６４と、該当接突部６４の下方に設けられ、押圧状態の押圧係止部材４１が回動することを規制する回動規制部材６５とを備えている。
【００２６】
当接突部６４は、当接凹部６３内で状態変換中、あるいは押圧状態に変換した押圧係止部材４１のうち、押圧部４４の後面（当接凹部６３の底部６３ａに対向する面）が当接する部分である。そして、押圧部４４と当接凹部６３の底部６３ａとの隙間よりも僅かに厚い寸法で隆起され、押圧部４４がこの当接突部６４を介して当接凹部６３の底部６３ａを十分に押圧するように構成されている。さらに、当接突部６４の幅を押圧部４４の後面の横幅（詳しくは押圧状態における後面の横幅）よりも狭く設定し、押圧部４４がその後面の一部のみを当接突部６４に当接して摺動するように構成されている。したがって、下側区画部材５４（具体的には、当接突部６４）と押圧部４４との摩擦力が大きくなることを抑えることができ、押圧係止部材４１をスムーズに状態変換させることができる。
【００２７】
回動規制部材６５は、当接凹部６３の底部６３ａから前方へ向けて突設された部材である。この回動規制部材６５の上部には、押圧状態へ変換した押圧部４４の下部が面接触状態で係合可能な係合部６５ａを形成し、係合部６５ａと押圧部４４の下部とが係合することで、押圧状態の押圧係止部材４１が下方へ回動することを規制されるように構成されている。また、回動規制部材６５のうち、当接凹部６３の側方開口とは反対側（図中左側）の端部を押圧状態の押圧部４４の先端部（図中左端部）よりも右側壁部２９寄り（左寄り）に配置して、押圧状態において押圧部４４の下部の一部分を下方に露出可能とし（図６（ｂ）参照）、押圧状態の押圧係止部材４１を押圧解除状態へ変換する際に、押圧部４４の下部を指で簡単に押し上げられるように構成されている。
【００２８】
証紙貼着部材４８は、パチンコ遊技機１の機種情報を表示した証紙６８を貼着するための平板状扉部材であり、図５に示すように、当接凹部６３を前方から十分に覆う程度の大きさを有する矩形状の合成樹脂で形成され、当該証紙貼着部材４８の前面に証紙６８を貼着している。なお、証紙６８には、機械番号と、製造業者および製造年月を記号で表示した製造情報と、製造業者名とが機種情報として表示される。また、証紙貼着部材４８の上縁部の左端部および下縁部の左端部に回動中心となる回動突起６９を設け、この回動突起６９を下側区画部材５４のうち当接凹部６３の左側方の上下に開設された軸孔部７０（図４参照）に嵌合することで、下側区画部材５４の前面に回動可能な状態で軸着される。このように軸着された証紙貼着部材４８は、当接凹部６３へ向けて回動すると、当接凹部６３の前方開口を覆う閉状態に変換し（図２参照）、当接凹部６３から離す方向へ回動すると、当接凹部６３の前方開口を開放する開状態に変換する（図６参照）。なお、証紙貼着部材４８は、上下に僅かに撓ませて回動突起６９を軸孔部７０から外せば、下側区画部材５４から容易に取り外すことができる。
【００２９】
さらに、証紙貼着部材４８のうち、閉状態において当接凹部６３と対向する部分、すなわち証紙貼着部材４８の裏側には、押圧状態の押圧係止部材４１に係止可能な係止片７２を備えている。この係止片７２は、当接凹部６３側、すなわち後方へ向けて延設された係止腕７３と、該係止腕７３の先端下部から下方へ突設された係止突起７４とから構成され、証紙貼着部材４８の閉状態において押圧状態の押圧係止部材４１の上方に配置される。また、証紙貼着部材４８のうち係止片７２の下方、具体的には、係止腕７３の基端側の下方には、証紙貼着部材４８の閉状態において押圧状態の押圧部４４および回動規制部材６５を当接可能な当接部７５を形成している（図２（ｂ）参照）。
【００３０】
なお、下側区画部材５４は、図６に示すように、２つの止着部材（ビス）７７により当接凹部６３の底部６３ａと遊技盤５とを止着するとともに、止着部材７７の下側区画部材５４側の端部（ビスの頭部）を当接凹部６３内に配置している。したがって、この止着部材７７を証紙貼着部材４８により覆うことができ、証紙貼着部材４８の周辺の外観を簡素にすることができる。
【００３１】
このような構成を備えたパチンコ遊技機１において、遊技盤収納フレーム２１に遊技盤５を取り付けるには、まず、前面カバー部材１３を大きく開き、クランプ３７を解放状態に変換するとともに、押圧係止部材４１を押圧解除状態に変換しておく。この状態で、遊技領域１１を前方に向けた遊技盤５の左側部を係合部材３３と背面部３１との間に差し込み、遊技盤５の左側面を位置決め部材３４に押し当てるようにしながら遊技盤５の右側を遊技盤収納フレーム２１内に押し入れ、遊技盤５の下端を遊技盤載置部２３上に載せる。遊技盤載置部２３に遊技盤５を載せたならば、遊技盤５を十分に後退させて背面部３１に遊技盤５の裏面を当接する。
【００３２】
そして、クランプ３７を固定状態に変換して遊技盤５の上部をクランプ３７と背面部３１との間に挟んで固定する。また、証紙貼着部材４８を開状態に変換して当接凹部６３の前方を開放し（図６（ａ）参照）、この開放状態で押圧係止部材４１を横に倒して押圧状態に変換し、遊技盤５の右下部を押圧部４４と背面部３１との間に挟んで係止する（図６（ｂ）参照）。このとき、押圧部４４の下部が回動規制部材６５に当接して下方への回動を規制されるので、押圧係止部材４１は、自重や振動により下方へ回動して押圧部４４が当接凹部６３から外れてしまう虞がない。
【００３３】
また、押圧係止部材４１を押圧状態に変換すると、押圧係止補助部材４５が遊技盤５の右側部を左方向へ押圧し、押圧係止補助部材４５と左側壁部２８の位置決め部材３４との間に遊技盤５を挟み込むことができる。したがって、遊技盤収納フレーム２１内で遊技盤５が左右方向へ移動することを確実に防ぐことができ、遊技盤５の姿勢を安定させることができる。また、押圧係止部材４１を遊技盤５に押圧する操作と、押圧係止補助部材４５を遊技盤５に押圧する操作とを別個に行う必要がない。したがって、遊技盤５の取付作業の効率向上を図ることができる。
【００３４】
押圧係止部材４１を押圧状態に変換したならば、この状態で証紙貼着部材４８を回動して閉状態に変換する。すると、図２（ｂ）に示すように、押圧部４４の前端部および回動規制部材６５の前端部が証紙貼着部材４８の当接部７５に当接し、証紙貼着部材４８が当接凹部６３の奥側に進入することを防止する。さらに、係止片７２が押圧状態の押圧部４４の上方に配置されるとともに、係止片７２の係止突起７４が押圧係止部材４１の係止溝４６に係止して、証紙貼着部材４８が前方に回動する（すなわち開状態に変換する向きに回動する）ことが規制される。したがって、押圧係止部材４１に遊技盤５の係止機能と証紙貼着部材４８の係止機能とを備えることができ、遊技盤５および証紙貼着部材４８を係止するための構成を簡単な構造で実現することができる。また、遊技盤５を係止する部材と、証紙６８を貼り付ける部材とを前後に重なる状態で配置することができ、下側区画部材５４の縦横の大きさを抑えようとすることができる。これにより、遊技領域１１の拡大化を図り易くすることができる。
【００３５】
なお、押圧係止部材４１を押圧状態に変換しないまま、証紙貼着部材４８を閉状態に変換すると、係止片７２が当接凹部６３内に係止されず、証紙貼着部材４８が回動自在な状態となって開状態への変換が規制されない。したがって、押圧係止部材４１で遊技盤５を係止した状態でなければ証紙貼着部材４８を閉状態に維持できないように設定することができる。このことから、証紙貼着部材４８を閉状態に維持できるか否かを確認するだけで、遊技盤５が遊技盤収納フレーム２１内に固定されているか否かを容易に確認することができる。
【００３６】
また、係止片７２は、押圧係止部材４１の上部、すなわち押圧係止部材４１のうち該押圧係止部材４１を挟んで回動規制部材６５とは反対側に係止するので、押圧状態の押圧係止部材４１を証紙貼着部材４８の係止片７２と回動規制部材６５とで挟み込むことができる。したがって、押圧係止部材４１の押圧状態が不用意に解除されることを防ぐことができ、遊技盤５の取付（固定）具合が緩んでしまう不都合を抑制することができる。
【００３７】
遊技盤５を遊技盤収納フレーム２１に収納し、証紙貼着部材４８を閉状態に変換したならば、前面カバー部材１３を閉じて遊技領域１１を前面カバー部材１３で覆う。このとき、証紙貼着部材４８は、係止片７２と押圧部４４との係止により閉状態に維持されるので、証紙貼着部材４８が不用意に開くことを防ぐことができ、開状態の証紙貼着部材４８が前面カバー部材１３に衝突して損傷する不都合を防ぐことができる。
【００３８】
また、遊技盤収納フレーム２１内に装着した遊技盤５を取り外す場合には、前記した操作とは逆の手順で行う。すなわち、前面カバー部材１３を開放して証紙貼着部材４８を前方に露出させ、この証紙貼着部材４８を手前に引き出して開状態に変換して当接凹部６３の前方を開放する。当接凹部６３を開放したならば、押圧係止部材４１を上向きに回動操作して押圧解除状態に変換する。また、クランプ３７を回動操作して解除状態に変換する。押圧係止部材４１およびクランプ３７を変換して遊技盤５の前方から外したならば、遊技盤５の右側部を先に手前に引き出し、次に、遊技盤収納フレーム２１の左側壁部２８の係合部材３３から遊技盤５の左側部を外して遊技盤５を手前に引き出す。これにより、遊技盤５を容易に取り外すことができる。
【００３９】
なお、当接凹部６３内に押圧係止部材４１の押圧状態を維持する構成を設けてもよい。例えば、図７に示すように、当接突部６４の下端部と回動規制部材６５の係合部６５ａ（上部）との間隔を押圧部４４の厚さよりも僅かに広くなる状態に設定して嵌合空間部７９を形成し、押圧係止部材４１を押圧状態に変換すると、押圧部４４が嵌合空間部７９に嵌合して上方への移動を規制されるように構成してもよい。このような構成を備えれば、押圧状態の押圧係止部材４１が回動規制部材６５から離れ難い。したがって、証紙貼着部材４８を閉状態へ変換する際に、回動規制部材６５から離れた押圧部４４と係止片７２とが衝突して、係止片７２が損傷してしまうことを防ぐことができて好適である。
【００４０】
また、上記実施形態では、押圧状態に変換した押圧係止部材４１の押圧部４４の上面に係止片７２を係止して証紙貼着部材４８を閉状態に維持できるように構成したが、本発明はこれに限定されない。例えば、押圧部４４の左端部（先端部）や前端部、あるいは腕部４３に証紙貼着部材４８の係止片７２を係止するようにしてもよい。要は、係止片７２が押圧状態の押圧係止部材４１の一部に係止できればよい。このように、係止片７２の係止箇所を限定しないことにより、係止片７２の配置を自由に設定することができ、証紙貼着部材４８や当接凹部６３の設計の自由度を増すことができる。
【００４１】
さらに、上記実施形態では、証紙貼着部材４８の左側部を下側区画部材５４に軸着したが、本発明ではこれに限定されず、証紙貼着部材４８の上側部や下側部を下側区画部材５４に軸着してもよい。
【００４２】
上記した実施形態は、代表的な遊技機であるパチンコ遊技機１を例に挙げて説明したが、本発明はこれに限らず、着脱可能な遊技盤を係止する遊技盤係止手段を備えた遊技機であればどのような遊技機でもよい。例えば、内部に封入した遊技球を循環させる封入球式パチンコ機、アレンジボール式遊技機、雀球式遊技機等の遊技機であってもよい。
【００４３】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４４】
【図１】前面カバー部材を開放したパチンコ遊技機の正面図である。
【図２】（ａ）は押圧係止部材を押圧状態に変換するとともに証紙貼着部材を閉状態に変換した状態図、（ｂ）は（ａ）のＡ−Ａ断面図である。
【図３】押圧係止部材の斜視図である。
【図４】証紙貼着部材を取り外した状態の遊技盤の部分拡大斜視図である。
【図５】証紙貼着部材の斜視図である。
【図６】（ａ）は押圧係止部材を押圧解除状態に変換するとともに証紙貼着部材を開状態に変換した状態図、（ｂ）は証紙貼着部材を開状態にしたまま押圧係止部材を押圧状態に変換した状態図である。
【図７】当接凹部内に嵌合空間部を設けた実施形態の説明図であり、（ａ）は押圧係止部材を押圧解除状態に変換した状態図、（ｂ）は押圧状態に変換した状態図である。
【符号の説明】
【００４５】
１  パチンコ遊技機
５  遊技盤
１１  遊技領域
１３  前面カバー部材
２１  遊技盤収納フレーム
２２  フレームボード部
２３  遊技盤載置部
２８  左側壁部
２９  右側壁部
３０  上側壁部
３１  背面部
３５  遊技盤係止手段
３６  遊技盤側部当接部材
４０  軸部
４１  押圧係止部材
４２  軸受部
４３  腕部
４４  押圧部
４５  押圧係止補助部材
４６  係止溝
４８  証紙貼着部材
５０  遊技領域区画部材
５１  止着部材
５２  発射球案内ユニット
５３  上側区画部材
５４  下側区画部材
６３  当接凹部
６３ａ  底部
６４  当接突部
６５  回動規制部材
６５ａ  係合部
６８  証紙
７２  係止片
７３  係止腕
７４  係止突起
７５  当接部
７７  止着部材
７９  嵌合空間部
【図１】
2006346230.tif 000003
【図２】
2006346230.tif 000004
【図３】
2006346230.tif 000005
【図４】
2006346230.tif 000006
【図５】
2006346230.tif 000007
【図６】
2006346230.tif 000008
【図７】
2006346230.tif 000009